(57)【特許請求の範囲】
【請求項１】
上部開口を通して内部に内容物を充填するようにした簡易容器において、
胴の内側に周方向に延びる係止部を形成し、前記係止部によって補助容器をこの簡易容器の底部から離間した状態で保持するようにし、
しかも前記補助容器の上部開口が外周側に突出するつまみを備える蓋材によってシールされ、前記補助容器が前記簡易容器の内側に係止部によって係止されると前記蓋材のつまみが前記簡易容器の胴の内側に沿って上方に屈曲されるようにしたことを特徴とする簡易容器。
【請求項２】
紙を主材料とするとともに、胴の部分が逆円錐台状をなし、胴の内周面に半径方向外周側に向って突出して内側に凹形状の周溝が形成され、該周溝が前記補助容器を保持する前記係止部を構成することを特徴とする請求項１に記載の簡易容器。
【請求項３】
前記補助容器が偏平な容器から成り、その外周部にフランジが形成され、該フランジによってこの補助容器の前記蓋材がシールされるとともに、前記フランジが前記係止部によって係止されることを特徴とする請求項１に記載の簡易容器。
【請求項４】
周溝の断面形状が円弧状であることを特徴とする請求項２に記載の簡易容器。
【請求項５】
周溝の断面形状がほぼＬ字状段部であることを特徴とする請求項２に記載の簡易容器。
【発明の詳細な説明】
【０００１】
【発明の属する技術分野】
本発明は簡易容器に係り、とくに上部開口を通して内部に内容物を充填するようにした簡易容器に関する。
【０００２】
【従来の技術】
各種の食品を充填して供給するために、従来より使捨て式の簡易容器が広く用いられている。例えば実開昭６２−９５５７３号公報には、逆円錐台状をなす簡易容器内に即席麺塊を充填し、この即席麺塊の上部には乾燥具材を載置するようにした即席麺収納容器が開示されている。このような構造によって、単一の容器で２種類の内容物を充填することが可能になる。
【０００３】
カップ入りスナック菓子等にソース等を添付する場合には、カップ状をなす簡易容器内にスナック菓子を入れるとともに、上部に上記ソースが入っている補助容器を載置するようにしている。
【０００４】
別の包装形態においては、ソースが充填された補助容器を簡易容器の被せ蓋の上部に載置し、さらにその上からシュリンク包装を行なうようにしてソース等を添付した状態でカップ入りのスナック菓子を供給するようにしていた。
【０００５】
また実開昭５８−１２５１７９号公報には、容器本体と、この容器本体に対して着脱自在の上蓋から成る即席食品用容器において、上蓋にレトルトパウチを収納できる有底凹所を形成し、この有底凹所内にレトルトパウチを収納するとともに、凹所にボール紙を装着して閉塞するようにした食品容器が開示されている。
【０００６】
【発明が解決しようとする課題】
実開昭６２−９５５７３号公報に開示されているように、簡易容器内にまず即席麺塊を充填し、その上に乾燥具材を載置するようにした容器によれば、即席麺塊と乾燥具材とが互いに接触するために、両者の風味が互いに移るようになり、これによって経時的に風味が劣化する等の問題がある。
【０００７】
ソース等を補助容器に充填し、容器内に予め充填されているスナック菓子の上に補助容器を充填するようにした簡易容器の場合には、ソースを充填した補助容器とスナック菓子とが混り、場合によってソースを充填した補助容器がスナック菓子の中に入込んで見えなくなり、取出し難くなるという問題がある。
【０００８】
ソース等を充填した補助容器をカップ状容器の上部に装着した被せ蓋の上に載置し、シュリンク包装によって補助容器を被せ蓋の上に固定するようにした包装形態によると、通常の蓋材によるシールの後にさらにシュリンク包装を行なう必要があり、これによって包装のコストアップが増大する。また包材の構成点数が増える分だけゴミの量も多くなる。また簡易容器の上部を覆うシール材には、商品名や内容物の表示等が印刷されているが、ソース等を充填した補助容器をこの部分に装着した場合には、上記のような表示が隠れてしまう不具合がある。
【０００９】
実開昭５８−１２５１７９号公報に開示されているように、上蓋にレトルトパウチ等を収納するための有底凹所を形成した構成によれば、このような有底凹所にレトルトパウチ等を収納することができる。ところがこの場合には上蓋の構造が複雑になるとともに、有底凹所を覆うための蓋板と、このような蓋板を係止する係止の構造とを必要とすることになる。
【００１０】
本発明はこのような問題点に鑑みてなされたものであって、補助容器を内部に内容物と混らない状態でしかも安定に保持することができるようにした簡易容器を提供することを目的とする。
【００１１】
【課題を解決するための手段】
本願の一発明は、上部開口を通して内部に内容物を充填するようにした簡易容器において、
胴の内側に周方向に延びる係止部を形成し、前記係止部によって補助容器をこの簡易容器の底部から離間した状態で保持するようにし、
しかも前記補助容器の上部開口が外周側に突出するつまみを備える蓋材によってシールされ、前記補助容器が前記簡易容器の内側に係止部によって係止されると前記蓋材のつまみが前記簡易容器の胴の内側に沿って上方に屈曲されるようにしたことを特徴とする簡易容器に関するものである。
【００１２】
ここで紙を主材料とするとともに、胴の部分が逆円錐台状をなし、胴の内周面に半径方向外周側に向って突出して内側に凹形状の周溝が形成され、該周溝が前記補助容器を保持する前記係止部を構成するものであってよい。また前記補助容器が偏平な容器から成り、その外周部にフランジが形成され、該フランジによってこの補助容器の前記蓋材がシールされるとともに、前記フランジが前記係止部によって係止されてよい。また周溝の断面形状が円弧状あるいはほぼＬ字状段部であってよい。
【００１３】
【作用】
上記一発明によれば、この簡易容器内に主要な内容物を充填するとともに、補助容器内に別の内容物を充填し、このような補助容器を係止部によって係止した状態で保持することが可能になる。ここで補助容器内の別の内容物はこの補助容器によってこの簡易容器内に充填された主たる内容物と区画された状態で収納保持されることになる。
【００１４】
【発明の実施の形態】
図１および図２は本発明の一実施の形態の容器のほぼ全体の構成を示すものであって、この簡易容器は円錐台状をなす胴部１０を備えている。胴部１０の上端側が上部開口１１になっており、この上部開口１１の周縁部を外側へ巻込んでカール部１２を形成するようにしている。なおカール部１２は図３に示すように、ほぼ上半分が押潰されて上面が偏平なほぼ半円形の断面形状をなしている。
【００１５】
また胴部１０の底部は底板１５によって閉塞されている。底板１５の周縁部が下方に折曲げられて周壁部１６を構成しており、このような周壁部１６が胴部１０の下端とこの胴部１０の下端を折返した折返し部１７とによって挟着され、これによって底板１５が胴部１０の底部を閉塞した状態で胴部１０に結合されている。
【００１６】
上記胴部１０にはその上端に近い位置に係止部を構成する周溝２１が形成されている。周溝２１はとくに図３に示すようにその断面形状が円弧状をなし、半径方向外周側へ向って凹形状になっている。そしてこのような周溝２１が補助容器２２のフランジ２３の部分を受入れ、これによって補助容器２２をこの容器の内部において底部から離間した状態で保持するようにしている。補助容器２２にはフィルムから成る蓋材２４が装着され、この蓋材２４の周縁部がフランジ２３に接合されるようになっている。また蓋材２４にはその外周側の一部を突設したつまみ２５が形成されるようになっている。
【００１７】
従ってこのような簡易容器１０内にはとくに図２に示すように、スナック菓子等の内容物２８が所定の高さまで充填される。そして例えばソースを充填し、蓋材２４によって上部を閉じた補助容器２２を図２および図３に示すように、そのフランジ２３を周溝２１に係止させた状態でこの容器の胴部１０内に保持させる。そしてこの後に、この容器本体の上部開口１１をつまみ３０を外周側の一部に有する蓋材２９によって接合する。これによってスナック菓子とソースとがともに充填された状態で供給されるようになる。
【００１８】
なおとくに図３に拡大して示すように、このスナック菓子はその容器の胴部１０が紙３２とアルミニウム箔３３のラミネート構造をなしている。また蓋材２９はフィルム３４とアルミニウム箔３５との接合構造をなしている。そしてこのような蓋材２９がカール部１２の平坦な上面に接合シールされて上部開口１１が閉じられるようになっている。
【００１９】
このように本実施の形態の簡易容器は、スナック菓子等を充填するカップ状の簡易容器であって、胴部１０の上側の内周麺に周溝２１が形成されている。なお周溝２１の高さはスナック菓子２８の量や補助容器２２の大きさ等に応じて任意の高さに設けることができる。そしてソース等が偏平な補助容器２２内に充填され、フィルムから成る蓋材２４によって密閉されている。なおこのような補助容器２２の外周側の部分にはフランジ２３が形成され、このフランジ２３に蓋材２４が接合シールされるとともに、このフランジ２３の外周側の端部を胴部１０の周溝２１の部分に嵌込むことによって固定されるようになっている。
【００２０】
このようなの簡易容器によれば、ソース等を充填した補助容器２２をカップ状をなす簡易容器の胴部１０の内部において任意の位置に固定することができ、このときにソースが内容物を構成するスナック菓子２８と混ることがない。また被せ蓋を用いることなくソースを充填した補助容器２２をセットし、商品とすることが可能になる。またこのような包装形態によれば、包材の構成点数を減少させることができ、包装コストを抑えることが可能になる。
【００２１】
次に別の実施の形態を図４によって説明する。この実施の形態は簡易容器の胴部１０の上端側の部分に２段に補助容器２２を保持するようにしたものである。すなわちこの容器の胴部１０の内周側には上下２段に周溝２１が形成され、それぞれの周溝２１が補助容器２２のフランジ２３の部分を係止するようにしている。従ってこのような構成によれば、２種類のソースをスナック菓子と一緒に包装して供給することが可能になる。なお必要であれば周溝２１をさらに形成し、３つ以上の補助容器２２を安定に保持するようにしてよい。
【００２２】
次にさらに別の実施の形態を図５によって説明する。この実施の形態は、胴部１０に断面がＬ字状をなす段状の周溝２１を形成するようにしたものである。このような周溝２１の形状によると、補助容器２２のフランジ２３の部分を段部２１の角の部分でより確実に受けることが可能になる。従ってこれにより、補助容器２２を底板１５から離間した状態でより確実に保持することが可能になる。
【００２３】
なお上記実施の形態は、スナック菓子２８を容器本体１０内に充填するとともに、ソースを補助容器２２内に充填するようにしたものであるが、その他の用途に使用することが可能である。例えばインスタント麺用容器として用いてもよい。この場合に容器本体１０内に乾燥綿塊を充填するとともに、補助容器２２内に具を充填するようにしてよい。またここで複数の補助容器２２に互いに異なる種類の具を充填して供給することも可能である。
【００２４】
【発明の効果】
以上のように本願の一発明は、上部開口を通して内部に内容物を充填するようにした簡易容器において、胴の内側に周方向に延びる係止部を形成し、係止部によって補助容器をこの簡易容器の底部から離間した状態で保持するようにし、しかも補助容器の上部開口が外周側に突出するつまみを備える蓋材によってシールされ、補助容器が簡易容器の内側に係止部によって係止されると蓋材のつまみが簡易容器の胴の内側に沿って上方に屈曲されるようにしたようにしたものである。
【００２５】
従ってこのような構成によれば、簡易容器内に種たる内容物を充填するとともに、補助容器内に別の内容物を充填し、この補助容器を簡易容器の底部から離間した状態で安定に保持することが可能になる。そして主たる内容物と別の内容物とが互いに混合されることなく、あるいはまた補助容器が主たる内容物の内部に隠れてしまうことがなくなる。また簡易容器を蓋材によってシールした場合には、補助容器が外部から見えなくなるために、外観を損うことがなくなる。
【図面の簡単な説明】
【図１】簡易容器の構造を示す分解斜視図である。
【図２】同簡易容器の縦断面図である。
【図３】同要部拡大縦断面図である。
【図４】別の実施の形態の簡易容器の縦断面図である。
【図５】さらに別の実施の形態の簡易容器の要部拡大縦断面図である。
【符号の説明】
１０  胴部
１１  上部開口
１２  カール部
１５  底板
１６  周壁部
１７  折返し部
２１  周溝（係止部）
２２  補助容器
２３  フランジ
２４  蓋材（フィルム）
２５  つまみ
２８  内容物
２９  蓋材（ラミネート材）
３０  つまみ
３２  紙
３３  アルミニウム箔
３４  フィルム
３５  アルミニウム箔
【図１】
0004001259.tif 000002
【図２】
0004001259.tif 000003
【図３】
0004001259.tif 000004
【図４】
0004001259.tif 000005
【図５】
0004001259.tif 000006